(57)【要約】      （修正有）【課題】野球およびゴルフの素振り練習に好適な運動練習補助具を提供する。【解決手段】踏板１の一方の短辺部近傍に靴固定具３としてベルト留め具６、ベルト７、スライド用フック５、スライド用溝４を設けた。スライド用フック５とスライド用溝４の関係は運動練習補助具を使用した際に固定したい片方の靴を固定するために用いるものである。ベルト留め具６とベルト７の関係は、ベルト７の片側一方を固定するためにベルト留め具６を用いる。ベルト留め具６はネジ止め、ビス止め、接着剤止め等あるがネジ止めが望ましい。ベルト７の材質は革、布、ゴム等を用いるが、ゴムを用いた方が締め付けが良くフィット感もありゴムが好ましい。ベルト７は固定したい片方の靴を固定するためにスライド用フック５に通し折り返して使用するため、その表面側に面ファスナーのフック部とループ部それぞれ設ける。【選択図】図２
0003191166.tif 000002
【実用新案登録請求の範囲】
【請求項１】
裏面にスベリ止め２を設けた踏板１の一方の短辺部近傍に、足もしくは靴を上面から押さえて固定する固定具を靴固定具３として配置したことを特徴とする運動練習補助具。
【請求項２】
前記靴固定具３が前記踏板１に設けられたスライド用溝４と溝にそって移動可能に取り付けたスライド用フック５とベルト留め具６とベルト７とからなることを特徴とする請求項１記載の運動練習補助具。
【請求項３】
前記一方の短辺部側にあって靴固定具３のベルト留め具６の外側近傍に立板８を設けたことを特徴とする請求項１又は２記載の運動練習補助具。
【請求項４】
前記踏板１の裏面にボルトクイ９を設けたことを特徴とする請求項１〜３のいずれか１項記載の運動練習補助具。
【請求項５】
前記踏板１と前記立板８の少なくとも一方が折りたたみ可能であることを特徴とする請求項１〜４のいずれか１項記載の運動練習補助具。
【考案の詳細な説明】
【技術分野】
【０００１】本考案は運動演習補助具に関し、より詳しくは野球およびゴルフの素振り練習に好適な運動練習補助具である。
【背景技術】
【０００２】電子図書館及び市販品を調べた結果、同様の運動練習補助具に関する先行技術や文献は見あたらなかった。
【考案の概要】
【考案が解決しようとする課題】
【０００３】野球、ゴルフのスイング時に下半身の使い方としてそれらの解説本などには、スイング時のカベがよく説かれている。しかし実際にカベを体験できている人は少ないと思われる。
【課題を解決するための手段】
【０００４】上記のスイング時のカベについて、本考察によれば裏面にスベリ止め２を設けた踏板１の一方の短辺部近傍に靴固定具３を配置したことを特徴とする運動練習補助具によって達成される。【０００５】また本考案は前記靴固定具３が踏板１に設けたスライド用溝４及びスライド用フック５とベルト７を踏板１に固定できるベルト留め具６とベルト７とからなること、前記一方の短辺部にあって靴固定具３のベルト留め具６の外側近傍に立板８を設けたこと、前記踏板１と前記立板８の少なくとも一方が折りたたみ可能であること、及び前記踏板１の下方にボルトクイ９を設けたことを好ましい態様として包含する。
【考案の効果】
【０００６】本考案はスイングの際に片方の足が固定されているのでいわゆるスイングのカベを容易に体験できる為に練習期間を短縮でき、素人でも容易にバッテング技術を習熟することができ、上達期間を早めることができる。
【図面の簡単な説明】
【０００７】
【図１】本考案の運動練習補助具の一実施例の斜視図である。
【図２】本考案の運動練習補助具の他の実施例の概略の平面図である。
【図３】本考案の運動練習補助具の他の実施例の側面図である。
【図４】本考案の運動練習補助具を用いた際の左打者が使用した時の概略図である。
【考案を実施するための形態】
【０００８】図１は本考案の運動練習補助具の斜視図であって裏面にスベリ止め２を設けた踏板１の一方の短辺部近傍に靴固定具３を設けた図である。
（１）踏板１は両足を広げ踏む長さとして約１ｍ前後が望ましい。幅は靴の大きさを考慮し４０ｃｍ前後が望ましい。材質は木、金属、プラスチック等の板で曲がらないものを用いるがプラスチックを用いた方が軽く、水をはじくためプラスチックが望ましい。踏板１の表面にも靴のスベリ防止とスパイク使用時の対応としてはゴム層を貼りつけた方が望ましい。
【０００９】（２）スベリ止め２は運動練習補助具を使用した際に床面とのズレの防止に設けたもので、例えば摩擦の強いゴム層を貼りつけたものが望ましい。
【００１０】（３）靴固定具３は図２で示すものが好ましいが、踏板１に靴の裏底、スリッパの裏面、サンダルの裏面等履物の底裏面を接着剤やネジ、ボルト等で固着させた履物を靴固定具３として用いてもよい。一例としてサンダルを用いた場合は、サンダルの上の甲の部分が左右に開き面ファスナーのフックとループを設け、固定する足を置き閉じた時に足の甲を締めることができるものが望ましい。しかしこれらの靴固定具３を用いた場合、使用時にズレが生じ多少の使いづらさはあるが効果、目的は達成される。
【００１１】図２は、本考案の運動練習補助具の概略平面図であって、踏板１の一方の短辺部近傍に靴固定具３としてベルト留め具６、ベルト７、スライド用フック５、スライド用溝４を設けた図である。
（１）スライド用フック５とスライド用溝４の関係は運動練習補助具を使用した際に固定したい片方の靴を固定するために用いるもので、靴の幅サイズに合わせるためにスライド用フック５がスライド用溝４を移動し靴の幅にマッチさせるものである。
【００１２】（２）ベルト留め具６とベルト７の関係は、ベルト７の片側一方を固定するためにベルト留め具６を用いる。ベルト留め具６はネジ止め、ビス止め、接着剤止め等あるがネジ止めが望ましい。ベルト７の材質は革、布、ゴム等を用いるが、ゴムを用いた方が締め付けが良くフィット感もありゴムが好ましい。ベルト７は固定したい片方の靴を固定するためにスライド用フック５に通し折り返して使用するため、その表面側に面ファスナーのフック部とループ部それぞれ設ける。
【００１３】（３）スライド用フック５とベルト７の関係は、ベルト留め具６で片側一方を固定したベルト７のもう一方をスライド用フック５に通し折り返し、踏板１に溝を設け設置したスライド用溝４を使ってスライド用フック５を移動させベルト７で固定したい片方の靴を締め、ベルト７の表面に設けてある面ファスナーのフックとループを使って固定する。以上のように構成された靴固定具３にして、その人の靴に合った形で靴を固定できる。
【００１４】図３は本考案の運動練習補助具の側面図であって、踏板１に設けたベルト留め具６の外側近傍に立板８を設け、踏板１の裏面にスベリ止め２とボルトクイ９を設けた図である。
（１）立板８を設けることにより、いわゆるカベを意識させることができより効果を高めることができる。立板８と踏板１との接合部分に折りたたみ金具を設け折りたたみ可能であることが望ましい。立板８の高さの形状として、スイング時の妨げにならない高さとして腰の高さより下がよい
【００１５】（２）ボルトクイ９は屋外での使用時のために設けたもので、踏板１と地面を固着させるために用いるものである。ボルトクイ９は脱着可能であり踏板１の裏面、ベルト留め具６の外側近傍の下部分に埋め込んだナットを設け、使用時にボルトクイ９を埋め込んであるナットに接合してボルトクイ９を地面に差し込み固着して使用することができる。ボルトクイ９の形状は、一方をネジにして反対一方を鋭利な槍状にしたものであることが好ましい。
【００１６】図４は、本考案の運動練習補助具を用いた際の左打者が使用した時に、右足の靴の甲を靴固定具３として用いたベルト留め具６、ベルト７、スライド用フック５、スライド用溝４を用い固定した概略図である。靴の固定方法としてベルト７をスライド用フック５に通し折り返し、踏板１に溝を設け設置したスライド用溝４を使って、スライド用フック５を移動し右足の靴の側面にマッチさせ、ベルト７で右足の靴の甲を締めて例えばベルト７の表面側に設けてある面ファスナーのフックとループを接合させ固定して使用する。
【００１７】踏板１と立板８は折り畳み可能が望ましい。ボルトクイ９は脱着可能が望ましい。
【００１８】運動練習補助具の裏面にスベリ止め２を設けるが使用時に多少ズレが生じても効果目的は達成される。
【００１９】踏板１に靴、サンダル、スリッパ等履物を固着しこれを靴固定具３として用いたものでも、使用時にズレが生じ多少の使いづらさはあるが効果目的は達成される。一例としてサンダルを用いた場合はサンダルの裏面を接着剤やネジ、ボルト等で踏板１の一方の短辺部に固着させる。サンダルの上部甲の部分が左右に開き長く設けた一方に、例えば面ファスナーのループを設け、短い方にフックを設け固定する足を置き閉じた時に足の甲を締めて接着できるものが望ましい。
【００２０】立板８の他利用法として、立板８の内側に固定する足の靴の外側面を密着させ立板８をスベリ止めストッパー及びズレ防止として用いスイング練習に利用してもよいが、密着させる靴を前記のように固定しておいた方がその効果は十分発揮される。
【００２１】なお本考案は上記実施例に限定されるものではなく、たとえば以下のものも含まれる。
ａ．前記実施例は、本考案を野球やゴルフのスイング練習に適用したものであるが、その他のスポーツの各種運動練習に使用してよい。
ｂ．前記図２の実施例ではベルト７等を３つ設けたが、少なくとも１つあればよく、必要に応じて個数は増減してよい。
ｃ．前記実施例では踏板１を長方形としたが、他の形状、たとえば楕円、長円などとしてもよい。
【符号の説明】
【００２２】１．  踏板
２．  スベリ止め
３．  靴固定具
４．  スライド用溝
５．  スライド用フック
６．  ベルト留め具
７．  ベルト
８．  立板
９．  ボルトクイ
【図１】
0003191166.tif 000003
【図２】
0003191166.tif 000004
【図３】
0003191166.tif 000005
【図４】
0003191166.tif 000006